(57)【要約】【課題】周波数分割多重がなされている状況下において、ＯＦＤＭ信号を送信する際の周波数利用効率を向上する技術を提供する。【解決手段】ガードインターバル相関処理部１６は、周波数領域において連続して配置された複数の帯域のうち、他の無線装置がＯＦＤＭシンボルを送信している帯域を調査する。動作制御部１８は、調査した結果を記憶する。動作制御部１８は、記憶した調査結果をもとに、他の無線装置がＯＦＤＭシンボルを送信している帯域のうちのひとつである第１帯域と、他の無線装置がＯＦＤＭシンボルを非送信である第２帯域とを選択する。ＯＦＤＭフレーム構成タイミング生成部３２は、選択した第１帯域において受信したＯＦＤＭシンボルに同期したタイミングを生成する。周波数変換部３６は、生成したタイミングにしたがって、選択した第２帯域においてＯＦＤＭシンボルを送信する。【選択図】図２
2012175345.tif 000002
【特許請求の範囲】
【請求項１】
周波数領域において連続して配置された複数の帯域のうち、他の無線装置がＯＦＤＭシンボルを送信している帯域を調査する調査部と、
前記調査部が調査した結果を記憶する記憶部と、
前記記憶部が記憶した調査結果をもとに、他の無線装置がＯＦＤＭシンボルを送信している帯域のうちのひとつである第１帯域と、他の無線装置がＯＦＤＭシンボルを非送信である第２帯域とを選択する選択部と、
前記選択部が選択した第１帯域において受信したＯＦＤＭシンボルに同期したタイミングを生成する同期部と、
前記同期部が生成したタイミングにしたがって、前記選択部が選択した第２帯域においてＯＦＤＭシンボルを送信する送信部とを備え、
前記調査部は、前記送信部がＯＦＤＭシンボルを送信している場合においても調査を繰り返し実行し、
前記記憶部は、前記調査部における調査結果を更新して記憶し、
前記選択部は、第１帯域においてＯＦＤＭシンボルが非受信になった場合に、前記記憶部に記憶した調査結果をもとに、他の無線装置がＯＦＤＭシンボルを送信している帯域のうちのひとつである第１帯域であって、かつそれまで選択していた第１帯域とは異なった第１帯域を新たに選択し、
前記同期部は、前記選択部において新たに選択した第１帯域において受信したＯＦＤＭシンボルに同期したタイミングを生成することを特徴とする無線装置。
【請求項２】
前記選択部は、第１帯域においてＯＦＤＭシンボルが再び非受信になった場合であっても、前記記憶部に記憶した調査結果において、他の無線装置がＯＦＤＭシンボルを送信している帯域が含まれていれば、そのうちのひとつである第１帯域であって、かつそれまで選択していた第１帯域とは異なった第１帯域を新たに選択することを特徴とする請求項１に記載の無線装置。
【請求項３】
前記同期部は、第１帯域においてＯＦＤＭシンボルが再び非受信になった場合に、前記記憶部に記憶した調査結果において、他の無線装置がＯＦＤＭシンボルを送信している帯域が含まれていなければ、自律的なタイミングを生成することを特徴とする請求項１または２に記載の無線装置。
【請求項４】
周波数領域において連続して配置された複数の帯域のうち、他の無線装置がＯＦＤＭシンボルを送信している帯域を調査するステップと、
調査した結果をメモリに記憶するステップと、
メモリに記憶した調査結果をもとに、他の無線装置がＯＦＤＭシンボルを送信している帯域のうちのひとつである第１帯域と、他の無線装置がＯＦＤＭシンボルを非送信である第２帯域とを選択するステップと、
選択した第１帯域において受信したＯＦＤＭシンボルに同期したタイミングを生成するステップと、
生成したタイミングにしたがって、選択した第２帯域においてＯＦＤＭシンボルを送信するステップとを備え、
前記調査するステップは、送信するステップがＯＦＤＭシンボルを送信している場合においても調査を繰り返し実行し、
前記記憶するステップは、調査結果をメモリに更新して記憶し、
前記選択するステップは、第１帯域においてＯＦＤＭシンボルが非受信になった場合に、メモリに記憶した調査結果をもとに、他の無線装置がＯＦＤＭシンボルを送信している帯域のうちのひとつである第１帯域であって、かつそれまで選択していた第１帯域とは異なった第１帯域を新たに選択し、
前記生成するステップは、新たに選択した第１帯域において受信したＯＦＤＭシンボルに同期したタイミングを生成することを特徴とする送信方法。
【発明の詳細な説明】
【技術分野】
【０００１】
本発明は、送信技術に関し、特にＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号を送信する無線装置および送信方法に関する。
【背景技術】
【０００２】
周波数分割多重通信は、周波数帯域を分割して複数のチャンネルを同時に使用する。このような無線通信の場合、互いの干渉を低減するために、隣接チャンネル間には一定のガードバンドが一般的に配置される。ＯＦＤＭにおいても例外ではなく、例えば地上デジタル放送では、１セグメントの帯域がガードバンドとして使用されている。ガードバンドの配置は、隣接チャンネルの干渉を低減するために必要ではあるが、限られた周波数帯域を有効利用する視点から考えればない方が望ましい。しかしながら、ガードバンドをなくして全周波数帯域を通信に使用すれば、周波数帯域を最大限に有効利用できるが、隣接チャンネルからの干渉が問題となる。
【０００３】
複数の無線装置間で通信を実行する場合に、一方がマスタ機器として動作し、他方がスレーブ機器として動作することがある（例えば、特許文献１）。このようなマスタモードとスレーブモードとを周波数分割多重のＯＦＤＭ通信、特に地上デジタル放送でのワンセグメント放送に適用すると、隣接セグメントのＯＦＤＭ信号をマスタとしてシンボル同期が実行される。シンボル同期したタイミングにてＯＦＤＭ信号を送信することによって、隣接したセグメント間にガードバンドがなくても、チャンネル間の干渉が低減される。
【先行技術文献】
【特許文献】
【０００４】
【特許文献１】特開２００６−１９７４５２号公報
【発明の概要】
【発明が解決しようとする課題】
【０００５】
隣接セグメントのＯＦＤＭ信号に同期したタイミングのＯＦＤＭ信号を送信する場合、マスタとなる基準のＯＦＤＭ信号は、特定の１セグメント帯域を使用して常時送信されている必要がある。そのため、マスタモードで動作する無線装置と、スレーブモードで動作する無線装置とは固定されるべきである。一方、マスタとなるべきセグメントにおいてＯＦＤＭ信号が常時送信されていない場合、スレーブモードで動作中の無線装置が存在しているにもかかわらずマスタが消失してしまうおそれがある。
【０００６】
また、放送のために選択されるセグメントが任意である場合、マスタとなるＯＦＤＭ信号が先行して送信されていたとしても、そのセグメントは固定ではない。そのため、どのセグメントで送信されているＯＦＤＭ信号をマスタにすればよいか不明になるおそれもある。これらを解決するためには、ある特定のセグメントをマスタとして固定し、当該セグメントにおいてＯＦＤＭ信号が常時送信されていればよい。しかしながら、これによって一定の帯域が占有されてしまうので、同時に使用可能なセグメント数が少なくなってしまう。これは周波数の利用効率が低減することに相当する。
【０００７】
本発明はこうした状況に鑑みてなされたものであり、その目的は、周波数分割多重がなされている状況下において、ＯＦＤＭ信号を送信する際の周波数利用効率を向上する技術を提供することである。
【課題を解決するための手段】
【０００８】
上記課題を解決するために、本発明のある態様の無線装置は、周波数領域において連続して配置された複数の帯域のうち、他の無線装置がＯＦＤＭシンボルを送信している帯域を調査する調査部と、調査部が調査した結果を記憶する記憶部と、記憶部が記憶した調査結果をもとに、他の無線装置がＯＦＤＭシンボルを送信している帯域のうちのひとつである第１帯域と、他の無線装置がＯＦＤＭシンボルを非送信である第２帯域とを選択する選択部と、選択部が選択した第１帯域において受信したＯＦＤＭシンボルに同期したタイミングを生成する同期部と、同期部が生成したタイミングにしたがって、選択部が選択した第２帯域においてＯＦＤＭシンボルを送信する送信部とを備える。調査部は、送信部がＯＦＤＭシンボルを送信している場合においても調査を繰り返し実行し、記憶部は、調査部における調査結果を更新して記憶し、選択部は、第１帯域においてＯＦＤＭシンボルが非受信になった場合に、記憶部に記憶した調査結果をもとに、他の無線装置がＯＦＤＭシンボルを送信している帯域のうちのひとつである第１帯域であって、かつそれまで選択していた第１帯域とは異なった第１帯域を新たに選択し、同期部は、選択部において新たに選択した第１帯域において受信したＯＦＤＭシンボルに同期したタイミングを生成する。
【０００９】
この態様によると、第１帯域においてＯＦＤＭシンボルが非受信になった場合に、記憶した調査結果をもとに、別の第１帯域を新たに選択するので、タイミング生成の基準にしているＯＦＤＭシンボルが非受信になっても、新たな基準を直ちに使用できる。
【００１０】
選択部は、第１帯域においてＯＦＤＭシンボルが再び非受信になった場合であっても、記憶部に記憶した調査結果において、他の無線装置がＯＦＤＭシンボルを送信している帯域が含まれていれば、そのうちのひとつである第１帯域であって、かつそれまで選択していた第１帯域とは異なった第１帯域を新たに選択してもよい。この場合、調査結果において、他の無線装置がＯＦＤＭシンボルを送信している帯域が含まれていれば、そのうちのひとつである第１帯域を新たに選択するので、干渉を低減できる。
【００１１】
同期部は、第１帯域においてＯＦＤＭシンボルが再び非受信になった場合に、記憶部に記憶した調査結果において、他の無線装置がＯＦＤＭシンボルを送信している帯域が含まれていなければ、自律的なタイミングを生成してもよい。この場合、調査結果において、他の無線装置がＯＦＤＭシンボルを送信している帯域が含まれていなければ、自律的なタイミングを生成するので、干渉を生じさせずに、タイミングを生成できる。
【００１２】
本発明の別の態様は、送信方法である。この方法は、周波数領域において連続して配置された複数の帯域のうち、他の無線装置がＯＦＤＭシンボルを送信している帯域を調査するステップと、調査した結果をメモリに記憶するステップと、メモリに記憶した調査結果をもとに、他の無線装置がＯＦＤＭシンボルを送信している帯域のうちのひとつである第１帯域と、他の無線装置がＯＦＤＭシンボルを非送信である第２帯域とを選択するステップと、選択した第１帯域において受信したＯＦＤＭシンボルに同期したタイミングを生成するステップと、生成したタイミングにしたがって、選択した第２帯域においてＯＦＤＭシンボルを送信するステップとを備える。調査するステップは、送信するステップがＯＦＤＭシンボルを送信している場合においても調査を繰り返し実行し、記憶するステップは、調査結果をメモリに更新して記憶し、選択するステップは、第１帯域においてＯＦＤＭシンボルが非受信になった場合に、メモリに記憶した調査結果をもとに、他の無線装置がＯＦＤＭシンボルを送信している帯域のうちのひとつである第１帯域であって、かつそれまで選択していた第１帯域とは異なった第１帯域を新たに選択し、生成するステップは、新たに選択した第１帯域において受信したＯＦＤＭシンボルに同期したタイミングを生成する。
【００１３】
なお、以上の構成要素の任意の組合せ、本発明の表現を方法、装置、システム、記録媒体、コンピュータプログラムなどの間で変換したものもまた、本発明の態様として有効である。
【発明の効果】
【００１４】
本発明によれば、周波数分割多重がなされている状況下において、ＯＦＤＭ信号を送信する際の周波数利用効率を向上できる。
【図面の簡単な説明】
【００１５】
【図１】図１（ａ）−（ｂ）は、本発明の実施例に係るエリアワンセグメント放送システムにおけるセグメントの配置を示す図である。
【図２】図１のエリアワンセグメント放送システムにおける無線装置の構成を示す図である。
【図３】図３（ａ）−（ｅ）は、図２のガードインターバル相関処理部における動作概要を説明する図である。
【図４】図２の動作制御部の構成を示す図である。
【図５】図２のＯＦＤＭフレーム構成タイミング生成部の構成を示す図である。
【図６】図６（ａ）−（ｆ）は、図５のＯＦＤＭフレーム構成タイミング生成部における動作概要を説明する図である。
【図７】図７（ａ）−（ｄ）は、図５のＯＦＤＭフレーム構成タイミング生成部における別の動作概要を説明する図である。
【図８】図４の既占有セグメント記憶部による記憶手順を示すフローチャートである。
【図９】図４のセグメント選択部による選択手順を示すフローチャートである。
【図１０】図４の動作モード設定部による設定手順を示すフローチャートである。
【図１１】図４のマスタセグメント選択部による選択手順を示すフローチャートである。
【発明を実施するための形態】
【００１６】
本発明を具体的に説明する前に、まず概要を述べる。本発明の実施例は、エリアワンセグメント放送におけるコンテンツ配信サービスを実現するために、コンテンツデータが含まれたＯＦＤＭ信号を送信する無線装置に関する。エリアワンセグメント放送とは、地上デジタル放送のひとつであるワンセグメント放送を利用し、放送事業者によって使用される送信電力よりも低い送信電力によって、狭いエリアに限定的にコンテンツデータを送信するサービスである。そのため、各無線装置は、ワンセグメント放送と同様に、１セグメントのみを使用する。当該エリアワンセグメント放送においては、周波数の利用効率を向上させるために、周波数帯域において連続して配置された複数のセグメントがそれぞれ使用されており、セグメント間にガードバンドが設定されていない。また、各無線装置は、所定の期間にわたってＯＦＤＭ信号を送信してから送信を停止するという動作を繰り返す。このような状況において、隣接セグメント間の干渉を低減するために、無線装置は、次の処理を実行する。
【００１７】
無線装置では、スレーブモードとマスタモードとが規定される。無線装置は、ＯＦＤＭ信号の送信を開始する際に、他の無線装置が先行してＯＦＤＭ信号を送信中のセグメントが存在する場合、スレーブモードの動作を選択し、セグメントが存在しない場合、マスタモードの動作を選択する。スレーブモードで動作する場合、無線装置は、複数のセグメントにおけるＯＦＤＭ信号検出を定期的に実行することによって、他の無線装置によって使用されているセグメントを検出し、検出結果を記憶する。また、無線装置は、検出結果をもとに、既に使用されているセグメントのひとつをマスタセグメントとして選択し、使用されていないセグメントのひとつを使用すべきセグメント（以下、「使用セグメント」という）として選択する。無線装置は、マスタセグメントにおいて受信したＯＦＤＭ信号のＯＦＤＭシンボルに同期したタイミングを生成し、生成したタイミングにてＯＦＤＭシンボルを生成する。さらに、無線装置は、生成したＯＦＤＭシンボルを使用セグメントにて送信する。
【００１８】
無線装置は、マスタセグメントでのＯＦＤＭ信号の送信が中断した場合に、記憶した検出結果をもとに、使用が継続されている別のセグメントをマスタセグメントとして新たに選択する。つまり、マスタセグメントの切替がなされる。その際、もとのマスタセグメントに関する情報は、検出結果から削除される。無線装置は、新たなマスタセグメントに対して同期処理を実行する。なお、このような処理を繰り返しているときに、すべてのセグメントにおいてＯＦＤＭ信号の送信が停止された場合、無線装置は、スレーブモードをマスタモードに切りかえることによって、自律的なタイミングにてＯＦＤＭ信号を送信する。このように、マスタセグメントは固定されず、任意のセグメントがマスタセグメントになりうる。
【００１９】
図１（ａ）−（ｂ）は、本発明の実施例に係るエリアワンセグメント放送システムにおけるセグメントの配置を示す。図１（ａ）は、本実施例において使用されるセグメントに相当する。図示のごとく、５．７ＭＨｚ帯域幅の中に１３個のセグメントが配置されており、これは地上デジタル放送と同一である。そのため、各セグメントは、約４２９ｋＨｚの帯域を有する。地上デジタル放送では、中央のセグメント０がワンセグメント放送に使用される。エリアワンセグメント放送において、サービスを提供するチャンネルが増えた場合、セグメント０だけを使用していてはチャンネル不足になってしまう。そこでチャンネル数を増やすために、本実施例では、中央のセグメント０以外の１２個のセグメントも使用する。この場合、使用される１２個の各セグメント間、すなわち各エリアワンセグメント放送を放送する各チャンネル間にはガードバンドが設けられていない状況となる。
【００２０】
図１（ｂ）は、本実施例の比較対象となるセグメントの配置である。ここでは、ひとつおきのセグメントを使用し、その間のセグメントをガードバンドとして使用する。そのため、図１（ａ）と同一幅の周波数帯域において、７セグメントしか使用できない。しかしながら、ガードバンドを設けることによって、セグメント間の干渉が低減される。そのため、異なったセグメントに対する連結送信が不要になり、シンボルタイミング同期も不要になる。一方、前述のごとく、本実施例では、図１（ａ）のごとく、ガードバンドが設けられていないので、これらに対する対策が必要になる。
【００２１】
図２は、エリアワンセグメント放送システムにおける無線装置１００の構成を示す。無線装置１００は、受信処理部１０、送信処理部１２を含む。また、受信処理部１０は、ワンセグメントチューナ１４と総称される第０ワンセグメントチューナ１４ａ、第１ワンセグメントチューナ１４ｂ、第１２ワンセグメントチューナ１４ｍ、ガードインターバル相関処理部１６と総称される第０ガードインターバル相関処理部１６ａ、第１ガードインターバル相関処理部１６ｂ、第１２ガードインターバル相関処理部１６ｍ、動作制御部１８、スイッチ２０、送信キャリア設定部２２を含む。また、送信処理部１２は、撮像素子２４、マイク２６、エンコード部２８、ＯＦＤＭフレーム構成部３０、ＯＦＤＭフレーム構成タイミング生成部３２、ＯＦＤＭ変調部３４、周波数変換部３６、局部発振部３８、ＲＦ部４０を含む。
【００２２】
ワンセグメントチューナ１４は、アンテナを介して図示しない他の無線装置から送信された信号を受信する。１３個のワンセグメントチューナ１４のそれぞれは、アンテナで受信した信号を入力する。各ワンセグメントチューナ１４は、図１（ａ）に示されたセグメントに１対１で対応する。つまり、各ワンセグメントチューナ１４は、互いに異なったセグメントの信号を受信できるように設定されている。各ワンセグメントチューナ１４は、設定されたセグメントの信号を抽出する。各ワンセグメントチューナ１４は、抽出した信号をガードインターバル相関処理部１６へ出力する。
【００２３】
ガードインターバル相関処理部１６は、ワンセグメントチューナ１４と同様に１３個備えられ、１３個のガードインターバル相関処理部１６のそれぞれは、ワンセグメントチューナ１４と１対１で対応する。各ガードインターバル相関処理部１６は、ワンセグメントチューナ１４からの信号を入力する。各ガードインターバル相関処理部１６は、ワンセグメントチューナ１４から入力した信号に対して、ガードインターバルでの相関処理を実行する。受信される信号は、ＯＦＤＭ信号である。このＯＦＤＭ信号は、ＯＦＤＭシンボルとよばれる所定単位期間毎に区切って送信される。各ＯＦＤＭシンボルの先頭部分には、ガードインターバルが付加され、それにつづいて有効シンボルが配置されている。また、ガードインターバルは、ＯＦＤＭシンボルの最後の部分を複製することによって作成されている。なお、以降の説明ではＯＦＤＭ信号を、ＯＦＤＭシンボル、または単に信号と呼ぶことがある。
【００２４】
そのため、ガードインターバル相関処理部１６は、入力した信号を有効シンボルの期間だけ遅延させ、遅延させた信号と入力した信号との相関値を検出する。当該相関値は、ガードインターバルの部分を入力しているときにピークとなる。そのため、相関値を検出することによって、ＯＦＤＭシンボルの開始タイミングを検出することができる。これは、ＯＦＤＭ信号を受信していることを検出することに相当する。つまり、ガードインターバル相関処理部１６は、周波数領域において連続して配置された複数のセグメントのうち、他の無線装置がＯＦＤＭ信号を送信している帯域を調査する。なお、ガードインターバル相関処理部１６は、後述のごとく無線装置１００がＯＦＤＭ信号を送信している場合においても調査を繰り返し実行する。以下では、本機器が送信を開始する時点で他の無線装置によって既に先行して使用されているセグメントを便宜的に「既占有セグメント」という。
【００２５】
図３（ａ）−（ｅ）は、ガードインターバル相関処理部１６における動作概要を説明する図である。図３（ａ）は、ＯＦＤＭシンボルの構成を示す。前述のごとく、ＯＦＤＭシンボルは、ガードインターバル（ＧＩ）と有効シンボルとの組合せによって構成される。ここでは、有効シンボルの後ろの部分を切り出し、これをＧＩとして有効シンボルの前に付加されている。図３（ｂ）は、受信されるＯＦＤＭ信号の構成を示す。図示のごとく、図３（ａ）に示されたＯＦＤＭシンボルが繰り返されている。図３（ｃ）は、相関処理を実行すべき区間を示す。図示のごとく、有効シンボル長離れたふたつのウインドウが設定されており、各ウインドウはＧＩ長の相当区間を有する。ここでは、Ｈｉｇｈレベルの区間がウインドウを示す。ガードインターバル相関処理部１６は、ふたつのウインドウに入力された信号同士に対して相関処理を実行する。
【００２６】
図３（ｄ）は、相関処理によって生成された相関値を示す。相関値は、ＧＩの中においてピークになる。図３（ｅ）は、図３（ｄ）の相関値をもとに生成したシンボル区間パルスを示す。シンボル区間パルスは、相関値のピーク近傍のタイミングにおいてＬｏｗレベルになり、それ以外の期間においてＨｉｇｈレベルになる波形である。シンボル区間パルスを生成することは、前述のＯＦＤＭシンボルの開始タイミングを検出することに相当する。なお、ワンセグメントチューナ１４およびガードインターバル相関処理部１６にＯＦＤＭ信号が入力されていない場合、シンボル区間パルスは、Ｈｉｇｈレベルを維持している。図２に戻る。ガードインターバル相関処理部１６は、動作制御部１８にシンボル区間パルスを出力する。
【００２７】
動作制御部１８は、各ガードインターバル相関処理部１６からのシンボル区間パルスを入力する。動作制御部１８は、シンボル区間パルスをもとに、所定の処理を実行する。所定の処理とは、（１）既占有セグメントの認識処理、（２）使用セグメントの選択処理、（３）動作モードの設定処理、（４）スレーブモードにおけるマスタセグメントの選択処理である。既占有セグメントの認識処理は、使用されているセグメントの有無の認識と記憶である。使用セグメントの選択処理は、無線装置１００が使用すべきセグメント番号の設定である。動作モードの設定処理は、無線装置１００の動作モードとして、マスタモードあるいはスレーブモードの設定である。マスタセグメントの選択処理は、スレーブモードで動作する場合のマスタセグメントの設定である。これらの処理によって、所定のセグメント、例えば０番のセグメントをマスタセグメントとし、別のセグメント、例えば２番のセグメントを使用セグメントとし、マスタセグメントでのＯＦＤＭ信号をマスタとし、使用セグメントでのＯＦＤＭシンボル同期送信を行う。一方、マスタセグメントが設定されない場合には、マスタモードとして動作される。
【００２８】
図４は、動作制御部１８の構成を示す。動作制御部１８は、既占有セグメント記憶部５０、セグメント選択部５２、動作モード設定部５４、マスタセグメント選択部５６を含む。
（１）既占有セグメントの認識処理
既占有セグメント記憶部５０は、各ガードインターバル相関処理部１６からのシンボル区間パルスをもとに既占有セグメントの有無と該当セグメント情報を取得する。つまり、既占有セグメント記憶部５０は、各セグメントに対して、シンボル区間パルスのなかにＬｏｗレベルの区間が含まれているかを監視することによって、それぞれのセグメントが既占有セグメントであるか否かの情報を取得する。
【００２９】
ここで、既占有セグメント記憶部５０は、Ｌｏｗレベルの区間が含まれている場合、既占有セグメントであると判定し、Ｌｏｗレベルの区間が含まれていない場合、空きのセグメントであると判定する。既占有セグメント記憶部５０は、取得した情報、つまりガードインターバル相関処理部１６での調査結果を記憶する。前述のごとく、ガードインターバル相関処理部１６は、後述のごとく無線装置１００がＯＦＤＭシンボルを送信している場合においても調査を繰り返し実行するので、既占有セグメント記憶部５０は、取得を繰り返し実行することによって、調査結果を更新して記憶する。更新とは具体的には既占有セグメントにおいてＯＦＤＭシンボルの送信が終了した場合、既占有セグメント記憶部５０は、そのＯＦＤＭシンボルの送信が終了した既占有セグメントに関する情報を削除する処理である。なお、新たにＯＦＤＭシンボルの送信を開始したセグメントについては既占有セグメントとはしない。
【００３０】
（２）使用セグメントの選択処理
セグメント選択部５２は、信号送信開始時に、既占有セグメント記憶部５０での記憶が終了したこと、つまり既占有セグメント初期設定が終了したことを確認する。確認後、セグメント選択部５２は、既占有セグメント記憶部５０の内容を参照し、他の無線装置１００がＯＦＤＭシンボルを非送信であるセグメント、つまり使用されていない任意のセグメントとを選択する。選択されたセグメントが、前述の使用セグメントに相当する。また、セグメント選択部５２は、信号送信終了時に、それまで選択していた使用セグメントを解放する。次に、信号送信を再開する際に、セグメント選択部５２は、使用セグメントを新たに選択する。
【００３１】
（３）動作モードの設定処理
動作モード設定部５４は、信号送信開始時に、既占有セグメント記憶部５０での記憶が終了したこと、つまり既占有セグメント初期設定が終了したことを確認する。確認後、動作モード設定部５４は、既占有セグメント記憶部５０の内容を参照し、既占有セグメントが存在する場合、つまり他の無線装置がＯＦＤＭ信号を送信しているセグメントが存在する場合、スレーブモードを設定する。一方、動作モード設定部５４は、既占有セグメントが存在しない場合、マスタモードを設定する。スレーブモードを設定した場合、動作モード設定部５４は、信号送信動作中にわたってマスタセグメント選択部５６での選択内容を監視し、マスタセグメントが存在しなくなれば、マスタモードへ移行させる。マスタモードを設定した場合、動作モード設定部５４は、信号送信終了までマスタモードを維持する。
【００３２】
（４）スレーブモードにおけるマスタセグメントの選択処理
マスタセグメント選択部５６は、信号送信開始時に、既占有セグメント記憶部５０での記憶が終了したこと、つまり既占有セグメント初期設定が終了したことを確認する。確認後、マスタセグメント選択部５６は、動作モード設定部５４での設定内容を参照し、動作モードがスレーブモードである場合に、マスタセグメントの初期設定を実行する。動作モードがスレーブモードである場合、既占有セグメント記憶部５０には、少なくともひとつの既占有セグメントに関する情報が記憶されている。そのため、マスタセグメント選択部５６は、そのうちのひとつの既占有セグメントを任意に選択する。選択した既占有セグメントが、マスタセグメントに相当する。
【００３３】
マスタセグメント選択部５６は、信号送信動作中にわたって、既占有セグメント記憶部５０の記憶内容を参照することによって、マスタセグメントの信号送信状態を監視する。マスタセグメントが既占有セグメント記憶部５０から消失した場合、つまりマスタセグメントでの信号送信が終了した場合、マスタセグメント選択部５６は、既占有セグメント記憶部５０の記憶内容を参照する。既占有セグメント記憶部５０に既占有セグメントに関する情報が含まれていれば、マスタセグメント選択部５６は、それまでマスタセグメントとして選択していた既占有セグメントとは異なった既占有セグメントを任意に新たに選択する。なお、マスタセグメントでの信号送信が終了したことは、ＯＦＤＭ信号が非受信になったことに相当する。マスタセグメント選択部５６は、新たに選択した既占有セグメントを新たなマスタセグメントに設定して、スレーブ動作を継続させる。
【００３４】
このように新たに設定したマスタセグメントでの信号送信が終了した場合、マスタセグメント選択部５６は、これまでと同様の処理を繰り返し実行する。つまり、マスタセグメント選択部５６は、既占有セグメント記憶部５０に既占有セグメントに関する情報が含まれていれば、それまでマスタセグメントとして選択していた既占有セグメントとは異なった既占有セグメントをマスタセグメントして任意に新たに選択する。一方、既占有セグメント記憶部５０に既占有セグメントに関する情報が含まれていなければ、マスタセグメント選択部５６は、処理を停止する。このような場合には、動作モード設定部５４によって、スレーブモードからマスタモードへの切替がなされるからである。なお、動作モード初期設定がマスタモードである場合、マスタセグメント選択部５６は、処理を実行しない。図２に戻る。
【００３５】
スイッチ２０は、各ガードインターバル相関処理部１６からのシンボル区間パルスを入力するとともに、動作制御部１８からの動作モードに関する情報を入力する。また、動作モードがスレーブモードである場合、スイッチ２０は、動作制御部１８から、マスタセグメントに関する情報も入力する。スイッチ２０は、動作モードがスレーブモードである場合、マスタセグメントに関する情報をもとに、マスタセグメントに対応したシンボル区間パルスを選択する。スイッチ２０は、選択したシンボル区間パルスをＯＦＤＭフレーム構成タイミング生成部３２に出力する。一方、スイッチ２０は、動作モードがマスタモードである場合、出力を停止する。送信キャリア設定部２２は、動作制御部１８から使用セグメントに関する情報を入力する。送信キャリア設定部２２は、使用セグメントに対する周波数を局部発振部３８に設定する。
【００３６】
撮像素子２４は、動画像あるいは静止画像（以下、これらを「画像」と総称する）を撮像する。撮像素子２４は、撮像した画像のデジタルデータ（以下、これを「画像」という）をエンコード部２８に出力する。マイク２６は、音声を取得する。マイク２６は、取得した音声のデジタルデータ（以下、これを「音声」という）をエンコード部２８に出力する。なお、画像および音声は、無線装置１００によって配信されるコンテンツデータに相当する。なお、コンテンツデータは、これに限定されるものではなく、他のものであってもよい。例えば、予め記憶された画像や、図示しないネットワークを介して取得された情報がコンテンツとされてもよい。エンコード部２８は、撮像素子２４から画像を入力するとともに、マイク２６から音声も入力する。エンコード部２８は、画像および音声に対してエンコードを実行する。なお、エンコードには公知の技術が使用されればよいので、ここでは説明を省略する。エンコード部２８は、エンコード結果（以下、「データ」という）をＯＦＤＭフレーム構成部３０に出力する。
【００３７】
ＯＦＤＭフレーム構成タイミング生成部３２は、動作制御部１８からの動作モードに関する情報を入力する。動作モードがスレーブモードである場合に、ＯＦＤＭフレーム構成タイミング生成部３２は、スイッチ２０からのシンボル区間パルスを入力する。ＯＦＤＭフレーム構成タイミング生成部３２は、入力したシンボル区間パルスをもとに、マスタセグメントで受信したＯＦＤＭシンボルに同期したタイミング（以下、「シンボルタイミング」という）を生成する。また、マスタセグメントが切りかわった場合、ＯＦＤＭフレーム構成タイミング生成部３２は、新たに選択したマスタセグメントにおいて受信したＯＦＤＭシンボルに同期したシンボルタイミングを生成する。一方、動作モードがマスタモードである場合に、ＯＦＤＭフレーム構成タイミング生成部３２は、基準となるタイミングを使用せずにフリーランで動作することによって、自律的なタイミングを生成する。
【００３８】
前述のごとく、スレーブモードで動作中に、マスタセグメントにおいてＯＦＤＭシンボルが非受信になり、かつ既占有セグメント記憶部５０に記憶した調査結果において、既占有セグメントが含まれていなければ、ＯＦＤＭフレーム構成タイミング生成部３２は、スレーブモードからマスタモードに動作モードを切りかえる。その結果、ＯＦＤＭフレーム構成タイミング生成部３２は、フリーランで動作するようになる。ここでは、スレーブモードに対応したＯＦＤＭフレーム構成タイミング生成部３２の構成をさらに詳しく説明する。
【００３９】
図５は、ＯＦＤＭフレーム構成タイミング生成部３２の構成を示す。ＯＦＤＭフレーム構成タイミング生成部３２は、ＯＦＤＭ伝送シンボルカウンタ６０、比較器６２、ＥＮ回路６４、ゲート素子６６を含む。また、信号として、シンボル区間パルス２００、シンボル区間セットパルス２０２、シンボルタイミング２０４、Ａ＜Ｃ信号２０６、セットパルスディセーブル信号２０８を含む。ここでは、図６（ａ）−（ｆ）および図７（ａ）−（ｆ）を使用しながら、ＯＦＤＭフレーム構成タイミング生成部３２の構成を説明する。図６（ａ）−（ｆ）は、ＯＦＤＭフレーム構成タイミング生成部３２における動作概要を説明する図である。図６（ａ）は、マスタセグメントにおいて受信されるＯＦＤＭ信号の構成を示す。図６（ｂ）は、ＯＦＤＭフレーム構成タイミング生成部３２に入力されるシンボル区間パルス２００を示す。図６（ａ）および（ｂ）は、図３（ｂ）および（ｅ）と同様である。図５に戻る。ＯＦＤＭ伝送シンボルカウンタ６０は、シンボル区間パルス２００を入力する。
【００４０】
ＯＦＤＭ伝送シンボルカウンタ６０は、例えば、１０ビットのカウンタであり、１０２４カウントを実行する。ＯＦＤＭ伝送シンボルカウンタ６０は、シンボル区間パルス２００によってカウンタの値に「３Ｆ７ｈ」をロードする。ＯＦＤＭ伝送シンボルカウンタ６０は、カウントデータＣを比較器６２に出力する。比較器６２は、カウントデータＣと比較データＡ「３ＥＣｈ」とを比較する。比較器６２は、比較結果がＡ＜Ｃであれば、Ａ＜Ｃ信号２０６をＨｉｇｈレベルにする。一方、比較器６２は、それ以外の場合にＡ＜Ｃ信号２０６をＬｏｗレベルにする。比較器６２は、Ａ＜Ｃ信号２０６をＥＮ回路６４に出力する。
【００４１】
ＥＮ回路６４は、比較器６２からＡ＜Ｃ信号２０６を入力するとともに、図示しないＯＦＤＭフレーム構成部３０からシンボルタイミング２０４を入力する。シンボルタイミング２０４は、ＯＦＤＭフレーム構成部３０においてＯＦＤＭシンボルを生成する際に使用しているタイミングである。ＥＮ回路６４は、Ａ＜Ｃ信号２０６がＨｉｇｈレベルである場合に、シンボルタイミング２０４がＬｏｗレベルになれば、セットパルスディセーブル信号２０８をＨｉｇｈレベルに設定する。一方、ＥＮ回路６４は、Ａ＜Ｃ信号２０６がＬｏｗレベルである場合に、シンボルタイミング２０４がＬｏｗレベルになれば、セットパルスディセーブル信号２０８をＬｏｗレベルに設定する。セットパルスディセーブル信号２０８は、シンボル区間セットパルス２０２をディセーブルするための信号である。ＥＮ回路６４は、セットパルスディセーブル信号２０８をゲート素子６６に出力する。図６（ｃ）は、セットパルスディセーブル信号２０８を示す。図５に戻る。
【００４２】
ゲート素子６６は、シンボル区間パルス２００を入力するとともに、セットパルスディセーブル信号２０８を入力する。ゲート素子６６は、セットパルスディセーブル信号２０８がＨｉｇｈレベルであれば、シンボル区間セットパルス２０２をＨｉｇｈレベルに維持する。一方、ゲート素子６６は、セットパルスディセーブル信号２０８がＬｏｗレベルであれば、シンボル区間パルス２００が次にＬｏｗレベルである間にわたって、シンボル区間セットパルス２０２をＬｏｗレベルに設定する。図６（ｄ）は、シンボル区間セットパルス２０２を示す。図６（ｅ）は、シンボル区間セットパルス２０２をもとに、図示しないＯＦＤＭフレーム構成部３０において生成されたシンボルタイミング２０４を示す。図６（ｆ）は、シンボルタイミング２０４をもとに、図示しないＯＦＤＭフレーム構成部３０において生成されたＯＦＤＭ信号を示す。図５に戻る。なお、ＯＦＤＭフレーム構成部３０は、シンボル区間セットパルス２０２がＬｏｗレベルになったタイミングをＯＦＤＭシンボルの先頭タイミングとして、ＯＦＤＭシンボル間隔でＬｏｗレベルになるようなシンボルタイミング２０４を生成する。
【００４３】
このような処理は、ＯＦＤＭフレーム構成タイミング生成部３２における監視処理といえる。具体的に説明すると、ＯＦＤＭフレーム構成タイミング生成部３２は、シンボルタイミング２０４とシンボル区間パルス２００との誤差が一定の区間内（以下、「シンボル同期区間」という）におさまっているかを監視している。これを説明するために、図７（ａ）−（ｄ）を使用する。図７（ａ）−（ｄ）は、ＯＦＤＭフレーム構成タイミング生成部３２における別の動作概要を説明する図である。図７（ａ）は、シンボル区間パルス２００の一部である。
【００４４】
図７（ｂ）は、Ａ＜Ｃ信号２０６を示す。Ａ＜Ｃ信号２０６がＨｉｇｈレベルである区間は、シンボル同期と判定される区間、つまりＧＩを超えない内側の区間になっている。この区間内に、シンボルタイミング２０４のＬｏｗレベルが到来すれば、同期が維持されているといえる。その際、セットパルスディセーブル信号２０８は、Ｈｉｇｈレベルになるので、シンボル区間セットパルス２０２がＬｏｗレベルにならない。一方、Ａ＜Ｃ信号２０６がＬｏｗレベルである区間に、シンボルタイミング２０４のＬｏｗレベルが到来すれば、同期が維持されていない。その際、セットパルスディセーブル信号２０８は、Ｌｏｗレベルになるので、次に到来するシンボル区間パルス２００のＬｏｗレベルによって、シンボル区間セットパルス２０２がＬｏｗレベルになる。
【００４５】
図７（ｃ）は、Ａ＜Ｃ信号２０６がＬｏｗレベルである場合のシンボルタイミング２０４を示し、図７（ｄ）は、Ａ＜Ｃ信号２０６がＬｏｗレベルである場合のセットパルスディセーブル信号２０８を示す。このような比較の結果、タイミングのずれが、ＧＩを超える手前のシンボル同期区間を超えたら、シンボルタイミング２０４をシンボル区間パルス２００でセットしなおすために、シンボル区間セットパルス２０２が出力される。その際、図６（ｆ）に示されたシンボル区間セットパルス２０２でセットしなおす手前のＯＦＤＭシンボルは、ＧＩの半分以下程度短くなるが、有効シンボル長が確保されているので問題にならない。
【００４６】
また、シンボル区間セットパルス２０２によって、ＧＩ内の粗いタイミングでＯＦＤＭシンボルがセットされている。これは、エリアワンセグメント放送が、地上デジタル放送とは異なり、送信電力が低く、遠方から到来する反射波を想定しなくてもよい環境であるからである。例えば、モード３、ＧＩ＝１／８におけるＯＦＤＭシンボルの期間は約１．１２５ｍｓでなる。この基準がマスタセグメントのタイミングであったと仮定し、かつ無線装置１００でのＯＦＤＭシンボルの周波数が基準に対して１ｐｐｍずれていると仮定すれば、約６２．５秒周期でタイミングがセットされる。図２に戻る。
【００４７】
ＯＦＤＭフレーム構成部３０は、ＯＦＤＭフレーム構成タイミング生成部３２からシンボル区間セットパルス２０２を入力する。前述のごとく、ＯＦＤＭフレーム構成部３０は、シンボル区間セットパルス２０２をもとにシンボルタイミング２０４を生成する。また、ＯＦＤＭフレーム構成部３０は、シンボルタイミング２０４をＯＦＤＭフレーム構成タイミング生成部３２にフィードバックする。ＯＦＤＭフレーム構成部３０は、エンコード部２８からデータを入力する。ＯＦＤＭフレーム構成部３０は、シンボルタイミング２０４にしたがってデータを配置させる。これは、シンボルタイミング２０４にて示されたシンボル単位にデータをまとめることに相当する。また、ＯＦＤＭフレーム構成部３０は、データに対して誤り訂正の符号化を実行してもよい。ＯＦＤＭフレーム構成部３０において生成される信号は、周波数領域の信号に相当する。ＯＦＤＭフレーム構成部３０は、周波数領域の信号をＯＦＤＭ変調部３４に出力する。
【００４８】
ＯＦＤＭ変調部３４は、ＯＦＤＭフレーム構成部３０からの周波数領域の信号に対して、ＩＦＦＴ（Ｉｎｖｅｒｓｅ  Ｆａｓｔ  Ｆｏｕｒｉｅｒ  Ｔｒａｎｓｆｏｒｍ）を実行することによって、有効シンボルを生成する。また、ＯＦＤＭ変調部３４は、ＧＩを有効シンボルに付加することによって、ベースバンドのＯＦＤＭシンボルを生成する。ＯＦＤＭ変調部３４は、ベースバンドのＯＦＤＭシンボルを周波数変換部３６に出力する。局部発振部３８は、送信キャリア設定部２２によって設定された周波数の局部信号を出力する。周波数は、使用セグメントに対応する。
【００４９】
周波数変換部３６は、ＯＦＤＭ変調部３４から、ベースバンドのＯＦＤＭシンボルを入力し、局部発振部３８から、局部信号も入力する。周波数変換部３６は、局部信号によってベースバンドのＯＦＤＭシンボルを周波数変換することによって、無線周波数のＯＦＤＭシンボルを生成する。周波数変換部３６は、無線周波数のＯＦＤＭシンボルをＲＦ部４０に出力する。ＲＦ部４０は、周波数変換部３６からの無線周波数のＯＦＤＭシンボルを増幅した後、アンテナから送信する。これらの処理によって、スレーブモードで動作している場合に、マスタセグメントでのタイミングに同期したタイミングにしたがって、使用セグメントからＯＦＤＭシンボルが送信される。
【００５０】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００５１】
以上の構成による無線装置１００の動作を説明する。図８は、既占有セグメント記憶部５０による記憶手順を示すフローチャートである。信号送信開始でなければ（Ｓ１０のＮ）、待機される。信号送信開始であれば（Ｓ１０のＹ）、既占有セグメント記憶部５０は、ガードインターバル相関検出部からの結果を取得する（Ｓ１２）。既占有セグメント記憶部５０は、既占有セグメントを初期設定する（Ｓ１４）。信号送信が終了せず（Ｓ１６のＮ）、既占有セグメント中に信号送信終了セグメントがなければ（Ｓ１８のＮ）、ステップ１６に戻る。既占有セグメント中に信号送信終了セグメントがあれば（Ｓ１８のＹ）、既占有セグメント記憶部５０は、既占有セグメント情報を更新、すなわち信号送信終了セグメントを既占有セグメント情報から削除し（Ｓ２０）、ステップ１６に戻る。信号送信が終了すれば（Ｓ１６のＹ）、処理は終了される。
【００５２】
図９は、セグメント選択部５２による選択手順を示すフローチャートである。信号送信開始でなければ（Ｓ４０のＮ）、待機される。信号送信開始であり（Ｓ４０のＹ）、既占有セグメント初期設定が終了すれば（Ｓ４２のＹ）、セグメント選択部５２は、既占有セグメント記憶部５０の内容を取得する（Ｓ４４）。一方、既占有セグメント初期設定が終了しなければ（Ｓ４２のＮ）、ステップ４２に戻る。セグメント選択部５２は、使用セグメントを選択する（Ｓ４６）。信号送信が終了しなければ（Ｓ４８のＮ）、ステップ４８に戻る。信号送信が終了すれば（Ｓ４８のＹ）、処理は終了される。
【００５３】
図１０は、動作モード設定部５４による設定手順を示すフローチャートである。信号送信開始でなければ（Ｓ６０のＮ）、待機される。信号送信開始であり（Ｓ６０のＹ）、既占有セグメント初期設定が終了すれば（Ｓ６２のＹ）、動作モード設定部５４は、既占有セグメント記憶部５０の内容を取得する（Ｓ６４）。一方、既占有セグメント初期設定が終了しなければ（Ｓ６２のＮ）、ステップ６２に戻る。使用中セグメントがあれば（Ｓ６６のＹ）、動作モード設定部５４は、動作モードをスレーブモードに設定する（Ｓ７２）。動作モード設定部５４は、スレーブモードにおけるマスタセグメント選択部５６の内容を取得する（Ｓ７４）。
【００５４】
マスタセグメントがあり（Ｓ７６のＹ）、信号送信が終了しなければ（Ｓ７８のＮ）、ステップ７４に戻る。信号送信が終了すれば（Ｓ７８のＹ）、処理は終了される。使用中セグメントがない場合（Ｓ６６のＮ）、あるいはマスタセグメントがない場合（Ｓ７６のＮ）、動作モード設定部５４は、動作モードをマスタモードに設定する（Ｓ６８）。信号送信が終了しなければ（Ｓ７０のＮ）、ステップ７０に戻る。信号送信が終了すれば（Ｓ７０のＹ）、処理は終了される。
【００５５】
図１１は、マスタセグメント選択部５６による選択手順を示すフローチャートである。信号送信開始でなければ（Ｓ９０のＮ）、待機される。信号送信開始であり（Ｓ９０のＹ）、動作モードの初期設定が終了していれば（Ｓ９２のＹ）、マスタセグメント選択部５６は、動作モードの内容を確認する（Ｓ９４）。動作モードの初期設定が終了していなければ（Ｓ９２のＮ）、ステップ９２に戻る。動作モードがスレーブモードであれば（Ｓ９６のＹ）、マスタセグメント選択部５６は、マスタセグメントの初期設定を実行する（Ｓ９８）。信号送信が終了すれば（Ｓ１００のＹ）、処理は終了される。信号送信が終了しなければ（Ｓ１００のＮ）、マスタセグメント選択部５６は、既占有セグメント記憶部５０の内容を取得する（Ｓ１０２）。
【００５６】
マスタセグメントが残っていれば（Ｓ１０４のＹ）、ステップ１００に戻る。マスタセグメントが残っておらず（Ｓ１０４のＮ）、既占有セグメント中に残データがあれば（Ｓ１０６のＹ）、マスタセグメント選択部５６は、マスタセグメントを再設定し（Ｓ１０８）、ステップ１００に戻る。動作モードがスレーブモードでない場合（Ｓ９６のＮ）、あるいは既占有セグメント中に残データがない場合（Ｓ１０６のＮ）、マスタセグメントなしが設定される（Ｓ１１０）。信号送信が終了しなければ（Ｓ１１２のＮ）、ステップ１１２に戻る。信号送信が終了すれば（Ｓ１１２のＹ）、処理は終了される。
【００５７】
本発明の実施例によれば、マスタセグメントでのＯＦＤＭシンボルが非受信になった場合に、既占有セグメントの情報をもとに、別の既占有セグメントをマスタセグメントとして新たに選択するので、マスタセグメントでのＯＦＤＭシンボルが非受信になっても、新たなマスタセグメントを直ちに使用できる。また、新たなマスタセグメントが直ちに使用されるので、それまでのマスタセグメントの使用が終了する場合であっても、同期したタイミングを生成できる。また、同期したタイミングが生成されるので、セグメント間の干渉を低減できる。
【００５８】
また、セグメント間の干渉が低減されるので、ガードバンドを不要にできる。また、ガードバンドが不要にされるので、周波数分割多重がなされている状況下において、ＯＦＤＭ信号を送信する際の周波数利用効率を向上できる。また、ＯＦＤＭ信号を送信する際の周波数利用効率が向上されるので、同一エリア内で多くのエリアワンセグメントの配信サービスを提供できる。また、既占有セグメントの情報において、既占有セグメントが含まれていれば、そのうちのひとつをマスタセグメントとして新たに選択するので、干渉を低減できる。また、既占有セグメントの情報において、既占有セグメントが含まれていなければ、自律的なタイミングを生成し、仮に送信を行っている機器が存在したとしてもそれらの機器は、本機器をマスタとしてスレーブモードで動作するので、干渉を生じさせずに自律的なタイミングを生成できる。
【００５９】
また、複数のデバイスが存在し、それらの任意の１デバイスがマスタとなり共通の通信路を使用して相互通信を行う通信バス（ＩＥＥＥ１３９４等）と比較した場合、次のような相違点がある。通信バスにおいては、あるマスタデバイスが通信を終了した場合、次にマスタとなるデバイスは、マスタが消失した後に「早い者勝ち」で決定される。一方、本発明の実施例においては、次にマスタになる機器は既に決定しておりマスタ機器の通信が終了した後で、残されたスレーブ機器のうちから早い者勝ちで次のマスタが決定されることはない。
【００６０】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【符号の説明】
【００６１】
１０  受信処理部、  １２  送信処理部、  １４  ワンセグメントチューナ、  １６  ガードインターバル相関処理部、  １８  動作制御部、  ２０  スイッチ、  ２２  送信キャリア設定部、  ２４  撮像素子、  ２６  マイク、  ２８  エンコード部、  ３０  ＯＦＤＭフレーム構成部、  ３２  ＯＦＤＭフレーム構成タイミング生成部、  ３４  ＯＦＤＭ変調部、  ３６  周波数変換部、  ３８  局部発振部、  ４０  ＲＦ部、  ５０  既占有セグメント記憶部、  ５２  セグメント選択部、  ５４  動作モード設定部、  ５６  マスタセグメント選択部、  ６０  ＯＦＤＭ伝送シンボルカウンタ、  ６２  比較器、  ６４  ＥＮ回路、  ６６  ゲート素子、  １００  無線装置。
【図１】
2012175345.tif 000003
【図２】
2012175345.tif 000004
【図３】
2012175345.tif 000005
【図４】
2012175345.tif 000006
【図５】
2012175345.tif 000007
【図６】
2012175345.tif 000008
【図７】
2012175345.tif 000009
【図８】
2012175345.tif 000010
【図９】
2012175345.tif 000011
【図１０】
2012175345.tif 000012
【図１１】
2012175345.tif 000013